(57)【要約】【課題】原画像データに対して透かし画像部を合成してプリントするときに、好ましい色で透かし画像部をプリントすることができる画像処理装置を提供する。【解決手段】原画像データに対して画像を透かして合成する画像処理装置は、合成する画像の色を設定する。画像を設定された色で合成したときに印刷において再現される色を取得し、その色を用いてディスプレイに、合成する画像を設定された色で合成したときの印刷イメージを表示する。例えば、ユーザにより選択された色および透過度で、文字を白地、Ｒ，Ｇ，Ｂ，Ｃ，Ｍ，Ｙ，Ｋの各色の背景画像に対して透過合成した場合の印刷サンプルが表示される。ユーザは、それぞれの状況においてどのような色で画像が合成されるかを知ることができる。【選択図】図８
2010251966.tif 000002
【特許請求の範囲】
【請求項１】
原画像データに対して画像を透かして合成することができる画像処理装置であって、
前記合成する画像の色を設定する設定手段と、
前記合成する画像を前記設定された色で合成したときに、印刷において再現される色を取得する取得手段と、
前記取得手段で取得された色を用いてディスプレイに、前記合成する画像を前記設定された色で合成したときの印刷イメージを表示する表示手段とを備えた、画像処理装置。
【請求項２】
前記取得手段は、前記設定された色に基づいて、印刷において再現される色をディスプレイ上で再現するための色を取得する、請求項１に記載の画像処理装置。
【請求項３】
前記原画像データに対して合成される画像は、スタンプ画像である、請求項１または２に記載の画像処理装置。
【請求項４】
前記取得手段は、前記合成する画像を複数色の背景画像に対してそれぞれ合成したときに、それぞれの印刷において再現される色を取得し、
前記表示手段は、前記合成する画像を複数色の背景画像に対してそれぞれ合成したときの印刷イメージを表示する、請求項１から３のいずれかに記載の画像処理装置。
【請求項５】
前記合成は、合成パターンに従って行われ、
前記取得手段は、前記合成する画像を前記合成パターンを用いて合成したときに、印刷において再現される色を取得し、
前記表示手段は、前記合成する画像を前記合成パターンを用いて合成したときの印刷イメージを表示する、請求項１から４のいずれかに記載の画像処理装置。
【請求項６】
原画像データに対して画像を透かして合成することができる画像処理装置の制御方法であって、
前記合成する画像の色を設定する設定ステップと、
前記合成する画像を前記設定された色で合成したときに、印刷において再現される色を取得する取得ステップと、
前記取得ステップで取得された色を用いてディスプレイに、前記合成する画像を前記設定された色で合成したときの印刷イメージを表示する表示ステップとを備えた、画像処理装置の制御方法。
【請求項７】
原画像データに対して画像を透かして合成することができる画像処理装置の制御プログラムであって、
前記合成する画像の色を設定する設定ステップと、
前記合成する画像を前記設定された色で合成したときに、印刷において再現される色を取得する取得ステップと、
前記取得ステップで取得された色を用いてディスプレイに、前記合成する画像を前記設定された色で合成したときの印刷イメージを表示する表示ステップとをコンピュータに実行させる、画像処理装置の制御プログラム。
【発明の詳細な説明】
【技術分野】
【０００１】
この発明は画像処理装置、画像処理装置の制御方法、および画像処理装置の制御プログラムに関し、特に透かし画像部の処理を行う画像処理装置、画像処理装置の制御方法、および画像処理装置の制御プログラムに関する。
【背景技術】
【０００２】
電子写真式の画像形成装置（スキャナ機能、ファクシミリ機能、複写機能、プリンタとしての機能、データ通信機能、およびサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなど）には、トナーを使用して画像を形成し、トナー像を用紙にプリント（転写）するための感光体および現像器が備えられている。
【０００３】
昨今のオフィスで用いられるドキュメントの印刷時には、機密保持の観点から、取り扱う際の注意を喚起させる“社外秘”などの文字情報をドキュメントに付加させる機会が増加している。それ以外にも、画像情報に、任意の文字、図形、写真画像などを合成した画像を作成し、それをプリント出力する機能が用いられる機会が増えている。
【０００４】
プリント時に、元の画像データを加工することなく特定の画像情報を容易に合成するために、プリンタのドライバにも合成機能が搭載されることが多くなっている。
【０００５】
画像情報の合成方法には、“透過”および“非透過”の２種がある。大きな目立つ画像を、元の画像を塗りつぶさずに合成したいような場合には、“透過”処理を適用することが有効である。このように“透過”処理においては、原画像情報を視認可能な状態で、別の画像情報を付加させることができる。一方“非透過”処理では、画像情報を付加する部分においては、原画像情報は視認不可能となる。付加される画像によって原画像が塗りつぶされるからである。
【０００６】
合成画像は、大きく分けて２種の作成手法によって作成される。一つはアプリケーションソフトによるものであり、もう一つはプリンタドライバによるものである。
【０００７】
一般的には、前者は、合成画像を電子データ上で扱いたい場合に有効である。一方、後者は、印刷時のみ画像を付加させたい場合に有効である。後者では、合成前の画像データファイルに加工を加えることなく画像を付加させたり、画像を扱うアプリケーションに依存せず特定の画像を付加させることが可能である。
【０００８】
後者のドライバでの画像合成は、スタンプ機能と呼ばれることがある。スタンプ機能では、ＵＩ（ユーザインターフェース）画面で、ユーザは以下のような諸条件を設定することができる。
【０００９】
・合成する文字列、文字種、および文字のサイズ
【００１０】
・レイアウト（画像の繰り返しの有無、ページ内の配置、角度など）
【００１１】
・文字色（所定色から選択、または任意に設定する）
【００１２】
・透過処理をしない、またはするの選択
【００１３】
このうち文字色は、ＲＧＢ値などのデータとして生成される。そのデータに対し、通常の画像処理と同様の色データ処理が行われる。これによりそのデータは、プリント色のＣＭＹＫ値に変換され、印刷される。
【００１４】
“透過”処理においては、以下の２種の合成方法がある。
【００１５】
・画素毎に、原画像と付与される画像の色情報（ＲＧＢ値など）とを合成する方法
【００１６】
・原画像と付与される画像とを、規則的なパターンで空間的に合成する方法（ブロック状の繰り返しパターンを発生させ、原画像と合成画像とを交互に併置する方法）
【００１７】
付与する画像を薄めに合成させたい場合（透かしスタンプとして画像を合成する場合など）には、後者が有効である。具体的には、Ｎ×Ｎ画素の千鳥パターンを発生させて、原画像と付与される画像（透かし画像部）とを１：１の比で合成するものである。このような後者の手法では、前者の手法よりも総じて自然な合成画像が得られる。
【００１８】
すなわち、「原画像をなるべく損なわず、スタンプ画像も視認できるようにしたい」という透過合成により印刷されるスタンプ画像へのユーザの要求がある。このような要求が、上記の処理によってプリント装置側で達成される。
【００１９】
下記特許文献１および２は、第１透過度のウォーターマーク画像と、当該第１透過度よりも透過度の低い第２透過度のウォーターマーク画像とを生成する情報処理装置を開示している。主画像と重ならない部分では、ウォーターマークを低い透過度のパターンとするものである。
【先行技術文献】
【特許文献】
【００２０】
【特許文献１】特開２００７−４８１５９号公報
【特許文献２】特開２００７−４８１６０号公報
【発明の概要】
【発明が解決しようとする課題】
【００２１】
非透過の画像を合成する場合（非透過処理の場合）、原画像に重ねて（原画像を塗りつぶして）新たな画像を合成すればよい。
【００２２】
従来のプリンタドライバでは、ユーザが非透過の画像合成において、合成する画像（例えば合成する文字など）の色を、直接設定・調整することが可能であった。しかしながら、透過処理の場合、合成する画像（例えば合成する文字など）の色を、ユーザが設定・調整することが困難であった。
【００２３】
このため、非透過の合成画像ではユーザが所望の色を設定できていても、透過処理での色がユーザの所望の色になる保障はなかった。これにより、透過により合成する画像が濃くなりすぎたり、薄くなりすぎたりする場合が多かった。
【００２４】
ここで、透過合成されるスタンプ画像を印刷する場合に、再現される色に着目する。非透過処理を行う時に「濃い赤色」の設定があるものとする。透過処理を行うときに、同様に「濃い赤色」の設定がある場合、白下地への透過合成において「非透過処理の時と同等の濃い赤色」を望むユーザもいれば、「非透過処理の時と比べて薄い赤色」を期待するユーザもいる。このようにユーザの要求は、個人差が大きい。
【００２５】
また、透過画像の設定色が同じであっても、この透過画像を合成させるために発生させるパターンのブロックサイズによって、透過合成後の印刷色の濃淡に影響がでることがある。例えば、濃い色を細かいパターンで印刷する場合に、ドット部の太りにより、非ドット部の面積率が相対的に小さくなることがある。これにより想定していたよりも濃い色で画像が再現されることがある。
【００２６】
また、等倍印刷で用いるパターンを１種に固定しても、画像サイズの拡大・縮小やＮｉｎ１（１ページ内にＮ枚の画像を並べてプリントする出力）処理などの変倍処理を行う際に、印刷色の濃さが若干変わってしまう場合がある。発生させたパターンを合成した後の画像データを変倍させる処理構成の場合、変倍の際に、パターンのブロックサイズもユーザの意図に関わらず変倍率に応じて変わってしまい、この影響をうけるためである。更には合成する透過画像が中間調であれば、それ以外の部分と同様のスクリーン処理が行われる。この時に、パターンにより生じる干渉の程度が変倍によって変わってしまう。これが再現色に影響することもある。
【００２７】
また、原画像の色の濃淡が濃くなる程、透過合成部の色も影響をうけて非透過時の色との差がより大きくなる。これにより、透過画像が本来の色よりも原画像の色側に近寄った色で再現されてしまうことが多い。
【００２８】
白下地上で再現される透過画像の色を画面に表示させることが考えられるが、そのような場合であっても、パターンやプリンタの特性の影響で色の濃淡が変わってしまう。このため、表示画面上の色と印刷色とに差異が生じ、ユーザにとって違和感が生じることがあった。
【００２９】
また、設定した透過画像の色が、色の付いた原画像の上ではどのような色で印刷されるかを予測することは、一般のオフィスでのユーザにとっては容易ではないという問題があった。
【００３０】
このことから従来の透過画像の設定環境では、一度の印刷でユーザが所望する色を得ることが容易ではなく、試し印刷を何度も繰り返す必要があった。
【００３１】
上述の特許文献１の技術では、所定の透過率が適用される。このため透過画像は、ユーザが所望する濃淡になるとは限らない。濃淡の調整のために、ユーザは合成する画像を直接変更する必要がある。
【００３２】
この発明は上記問題点を解決するためになされたものであり、画像データに対して透かし画像部を合成してプリントするときに、好ましい色で透かし画像部をプリントすることができる画像処理装置、画像処理装置の制御方法、および画像処理装置の制御プログラムを提供することを目的としている。
【課題を解決するための手段】
【００３３】
上記目的を達成するためにこの発明のある局面に従うと、画像処理装置は、原画像データに対して画像を透かして合成することができる画像処理装置であって、合成する画像の色を設定する設定手段と、合成する画像を設定された色で合成したときに、印刷において再現される色を取得する取得手段と、取得手段で取得された色を用いてディスプレイに、合成する画像を設定された色で合成したときの印刷イメージを表示する表示手段とを備える。
【００３４】
好ましくは取得手段は、設定された色に基づいて、印刷において再現される色をディスプレイ上で再現するための色を取得する。
【００３５】
好ましくは原画像データに対して合成される画像は、スタンプ画像である。
【００３６】
好ましくは取得手段は、合成する画像を複数色の背景画像に対してそれぞれ合成したときに、それぞれの印刷において再現される色を取得し、表示手段は、合成する画像を複数色の背景画像に対してそれぞれ合成したときの印刷イメージを表示する。
【００３７】
好ましくは合成は、合成パターンに従って行われ、取得手段は、合成する画像を合成パターンを用いて合成したときに、印刷において再現される色を取得し、表示手段は、合成する画像を合成パターンを用いて合成したときの印刷イメージを表示する。
【００３８】
この発明の他の局面に従うと、画像処理装置の制御方法は、原画像データに対して画像を透かして合成することができる画像処理装置の制御方法であって、合成する画像の色を設定する設定ステップと、合成する画像を設定された色で合成したときに、印刷において再現される色を取得する取得ステップと、取得ステップで取得された色を用いてディスプレイに、合成する画像を設定された色で合成したときの印刷イメージを表示する表示ステップとを備える。
【００３９】
この発明のさらに他の局面に従うと、画像処理装置の制御プログラムは、原画像データに対して画像を透かして合成することができる画像処理装置の制御プログラムであって、合成する画像の色を設定する設定ステップと、合成する画像を設定された色で合成したときに、印刷において再現される色を取得する取得ステップと、取得ステップで取得された色を用いてディスプレイに、合成する画像を設定された色で合成したときの印刷イメージを表示する表示ステップとをコンピュータに実行させる。
【発明の効果】
【００４０】
これらの発明に従うと、画像データに対して透かし画像部を合成してプリントするときに、好ましい色で透かし画像部をプリントすることができる画像処理装置、画像処理装置の制御方法、および画像処理装置の制御プログラムを提供することが可能となる。
【図面の簡単な説明】
【００４１】
【図１】本発明の第１の実施の形態における４サイクル画像形成装置の全体構成を示す図である。
【図２】ＭＦＰ１のハードウェア構成を示すブロック図である。
【図３】ＰＣ２７１の内部構成を示すブロック図である。
【図４】ＰＣ２７１とＭＦＰ１とから構成されるプリントシステムの機能構成を示すブロック図である。
【図５】プリンタ１で出力される透過合成画像の具体例を示す図である。
【図６】図５の透かし画像部（Ａ）の拡大図である。
【図７】図４のプリント指示部４０３とスタンプ画像表示部５００との詳細な構成を示すブロック図である。
【図８】ディスプレイ３４４に表示されるドライバの色表示画面の具体例を示す図である。
【図９】スタンプ画像のディスプレイ３４４への表示用の色を求めるためのテーブルの具体例を示す図である。
【発明を実施するための形態】
【００４２】
［第１の実施の形態］
【００４３】
以下、本発明の第１の実施の形態における、プリント出力方法を実行する画像形成装置（またはプリント出力装置とも呼ぶ。）について説明する。
【００４４】
本実施の形態における画像形成装置は、画像処理装置を備えている。画像処理装置は、原画像データに「スタンプ」画像などの透かし画像部を付加することができる。
【００４５】
図１は、本発明の第１の実施の形態における４サイクル画像形成装置の全体構成を示す図である。
【００４６】
ここでは画像形成装置は、ＭＦＰ１である。ＭＦＰ１は、スキャナ、複写機、プリンタ、ファックスなどの機能を有する複合機である。
【００４７】
ＭＦＰ１は、複数のキー１１１ａ、当該キーに対するユーザの操作による各種の指示や、文字・数字などのデータの入力を受付ける操作部１１１、ユーザに対する指示メニューや取得した画像に関する情報などの表示を行なうディスプレイ１１３、原稿を光学的に読取って画像データを得るスキャナ１４０、画像データに基づいて記録シート上に画像を印刷するプリンタ部１３０、用紙を搬送するＡＤＦ１４１、画像形成を行なう用紙を収容する給紙トレイ１０３、および排紙トレイ１０５を備える。
【００４８】
また、マシン内部には各エレメントに供給するＤＣ電源電圧をＡＣ電源から変換する電源部１２０、およびマシンを制御するための演算、記憶機能を搭載したコントローラー部１０９が備えられる。
【００４９】
図２は、ＭＦＰ１のハードウェア構成を示すブロック図である。
【００５０】
図を参照してＭＦＰ１は、ＣＰＵ２２７と、ハードディスクドライブ（ＨＤＤ）２２９と、ハードディスクコントローラ２１１と、プリント部２１７と、通信インターフェイス部２１９と、メモリコントローラ２２１と、不揮発メモリ２２３と、オペレーションパネル２２５と、メインメモリ２３１とを備える。ハードディスクコントローラ２１１と、スキャナ１４０と、認証装置（非接触カードコントローラ）２１５と、プリント部２１７と、通信インターフェイス部２１９と、メモリコントローラ２２１と、不揮発メモリ２２３と、オペレーションパネル２２５と、ＣＰＵ２２７とは、それぞれ、システムバス２５０に接続されている。ＨＤＤ２２９は、ハードディスクコントローラ１１に接続されている。また、メインメモリ２３１は、メモリコントローラ２２１に接続されている。
【００５１】
ハードディスクコントローラ２１１は、ＣＰＵ２２７に、ＨＤＤ２２９に対するデータの読み書きを可能にさせる。ＨＤＤ２２９は、例えば通信インターフェイス部２１９等を介して送信されたジョブ（ＪＯＢ）の印刷データやスキャナ１４０で読み取った画像データなどを記憶する。また、ＨＤＤ２２９は、カード認証を行うための認証テーブルや、ＭＦＰ１の設定情報や、ＭＦＰ１の種々の動作を行うための制御プログラムなどを記憶する。ＨＤＤ２２９は、１つのクライアントＰＣ又は複数のクライアントＰＣから送信された複数のジョブを記憶可能である。
【００５２】
ＨＤＤ２２９には、例えば、データの保管場所として、複数のＢＯＸが設定されている。ＢＯＸは、個々のユーザや、所定のユーザのグループなどに関連付けて設定された記憶領域である。個々のＢＯＸには、それぞれ、複数のデータを記憶可能である。ＣＰＵ２２７は、例えば、ＰＣ２７１などから送信された印刷データや、スキャナ１４０で読み取って生成された画像データなどをＢＯＸに記憶させる。このとき、データは、その属性に応じたＢＯＸに記憶される。これにより、データを分類・整理してＨＤＤ２２９に記憶させることができる。また、ＣＰＵ２２７は、ＢＯＸ毎に認証の有無などに応じたアクセス制限を行う。これにより、ＢＯＸに記憶されているデータのセキュリティを確保することができる。さらにまた、ＢＯＸ間でデータの受渡しなどを行うことができ、ＭＦＰ１の利便性を高めることができる。
【００５３】
スキャナ１４０は、スキャナ機能を実行する。スキャナ１４０は、例えば、透明な原稿台に配置された原稿をコンタクトイメージセンサなどにより走査して画像データとして読み取る。また、スキャナ１４０は、原稿トレイにセットされた複数枚の原稿を、ＡＤＦ（Ａｕｔｏ  Ｄｏｃｕｍｅｎｔ  Ｆｅｅｄｅｒ）により順次取り込みながら、コンタクトイメージセンサなどにより画像データとして読み取る。読み取られた画像データは、例えば、ＣＰＵ２２７によりアプリケーションデータ形式に変換され、ＢＯＸなどに記憶される。ＣＰＵ２２７は、例えばＢＯＸに記憶された画像データをＰＣ２７１などに送信可能である。
【００５４】
認証装置２１５は、例えば、非接触ＩＣカードリーダである。認証装置２１５は、認証カード（認証媒体）が近づけられたときにその認証カードに埋め込まれた情報を読み取る機能を有している。認証装置２１５は、認証カードとの間で無線通信、すなわち非接触通信を行うことができる。認証装置２１５は、認証カードと通信するための磁場を発生させるアンテナ及び無線回路や、受信した情報を復調し復号する回路などを有している。認証装置２１５で読み取られた情報は、ＣＰＵ２２７に送られる。
【００５５】
プリント部２１７は、ＣＰＵ２２７による制御の下、給紙トレイ１０３から用紙を給紙してＭＦＰ１の内部で搬送する。また、プリント部２１７は、搬送される用紙に電子写真方式により画像を形成し、排紙トレイ１０５に排出する。プリント部２１７は、スキャナ１４０で読み取られて印刷可能形式に展開された画像データをプリント可能である。また、プリント部２１７は、ＰＣ２１７から送られたりＨＤＤ２２９に記憶されているアプリケーションデータ形式のデータに基づいて印刷可能形式に展開された画像データをプリント可能である。データの印刷可能形式への展開は、ＣＰＵ２２７、メモリコントローラ２２１、及びメインメモリ２３１などで行われる。プリント部２１７は、用紙にカラー画像を形成することができる。なお、プリント部２１７は、用紙にモノクロ画像のみを形成可能に構成されていてもよい。
【００５６】
なお、プリント部２１７は、フィニッシャ部（図示せず）を有している。フィニッシャ部は、例えば、ステープル部（図示せず）と、ソート部（図示せず）とを有している。ステープル部は、ステープルにより複数枚数の印刷物を１部毎に綴じて、排紙トレイ１０５に出力する。ソート部は、複数枚数の印刷物を１部毎に、縦横方向を変えたり、出力位置を変更したりして、排紙トレイ１０５に出力する。これらのフィニッシャ部の機能を用いることにより、複数部数のプリント時に、印刷物を容易に各部に分別することができる。これらのフィニッシャ部を用いた機能は、ユーザによる設定に基づいて、ＣＰＵ２２７の制御により、適宜実行可能である。
【００５７】
通信インターフェイス部２１９は、例えば、ＮＩＣ（Ｎｅｔｗｏｒｋ  Ｉｎｔｅｒｆａｃｅ  Ｃａｒｄ）などのハードウェア部と、所定の通信プロトコルで通信を行うソフトウェア部とが組み合わされて構成されている。通信インターフェイス部２１９は、例えば、ＭＦＰ１をＬＡＮなどのネットワークに接続する。これにより、ＭＦＰ１は、ネットワークに接続されているクライアントＰＣなどの外部装置と通信可能になる。図において、ＭＦＰ１は、外部ネットワーク２７０に接続されている。外部ネットワーク２７０には、ＰＣ２７１やメールサーバ２７３等が接続されている。ＭＦＰ１は、ＰＣ２７１などからジョブを受信可能である。また、ＭＦＰ１は、スキャナ１４０で読み取った画像データなどを、ＦＴＰ（Ｆｉｌｅ  Ｔｒａｎｓｆｅｒ  Ｐｒｏｔｏｃｏｌ）などによりＰＣ２７１に送信したり、メールサーバ２７３を介してＥ−ｍａｉｌによりメール送信したりすることができる。なお、通信インターフェイス部２１９は、無線通信により外部ネットワーク２７０などに接続可能に構成されていてもよい。
【００５８】
メモリコントローラ２２１は、ＣＰＵ２２７に、メインメモリ２３１に対するデータの読み書きを可能にさせる。メインメモリ２３１は、例えばＲＡＭである。メインメモリ２３１は、ＣＰＵ２２７が制御プログラムを実行するときなどに必要なデータを記憶するのに用いられる。
【００５９】
不揮発メモリ２２３は、例えばフラッシュＲＯＭ（Ｆｌａｓｈ  Ｍｅｍｏｒｙ）である。不揮発メモリ２２３には、ＨＤＤ２２９と同様に、種々の制御プログラムやＭＦＰ１の機能設定データなど、ＭＦＰ１の動作を行うために用いられるデータが記憶されている。ＣＰＵ２２７は、所定の処理を行うことにより、不揮発メモリ２２３のデータを読み込んだり、不揮発メモリ２２３にデータを書き込んだりすることができる。
【００６０】
オペレーションパネル２２５は、例えばタッチパネル機能を有するＬＣＤ（Ｌｉｑｕｉｄ  Ｃｒｙｓｔａｌ  Ｄｉｓｐｌａｙ）を用いて構成されている。オペレーションパネル２２５は、ＬＣＤに画像を表示する機能や、タッチパネルによりユーザによる操作を受け付ける機能を有している。オペレーションパネル２２５は、ＣＰＵ２２７による制御に基づき、例えば所定の操作メニュー画面をＬＣＤに表示して、ユーザからの操作を受け付ける。また、オペレーションパネル２２５は、ＭＦＰ１の状態に関する情報を表示し、ユーザに通知する。オペレーションパネル２２５にユーザによる操作がなされると、それに応じて、操作信号又は操作コマンドがＣＰＵ２２７に送信される。
【００６１】
ＣＰＵ２２７は、ＨＤＤ２２９や不揮発メモリ２２３等に記憶された制御プログラムを実行することにより、ＭＦＰ１の種々の動作を制御する。ＣＰＵ２２７は、例えば、オペレーションパネル２２５から操作信号が送られたり、ＰＣ２７１などから操作コマンドが送信されたりすると、それらに応じて所定の制御プログラムを実行する。これにより、ユーザによりオペレーションパネル２２５になされた操作やＰＣ２７１からの指示に応じて、ＭＦＰ１の所定の動作が行われる。
【００６２】
図３は、ＰＣ２７１の内部構成を示すブロック図である。
【００６３】
図に示すように、ＰＣ２７１は、ＣＰＵ３２０と、ＨＤＤ３３０と、ＲＯＭ３４０と、ＲＡＭ３４１と、入力部３４２と、表示制御部３４３と、ディスプレイ３４４と、ネットワークＩ／Ｆ３４５と、カードリーダ３４６とを備えている。
【００６４】
ＣＰＵ３２０は、ＰＣ２７１の装置全体を制御する。
【００６５】
ＲＯＭ３４０は、ＢＩＯＳ（Ｂａｓｉｃ  Ｉｎｐｕｔ／ＯｕｔＰｕｔ  Ｓｙｓｔｅｍ）やブートプログラムを格納する。ＲＡＭ３４１は、揮発性メモリであって、ＣＰＵ３２０におけるプログラム実行時のワークエリアとなる。
【００６６】
ＨＤＤ３３０は、ＯＳ（Ｏｐｅｒａｔｉｎｇ  Ｓｙｓｔｅｍ）、アプリケーションプログラム、ドライバ、各種プログラム、及びデータファイルなどを格納する。
【００６７】
入力部３４２は、キーボードやマウスなどの入力装置である。表示制御部３４３は、ＣＰＵ３２０の制御によりビデオメモリに描画を行うと共に、ビデオメモリに記憶された画像データをビデオ信号として出力する。ディスプレイ３４４は、ＣＲＴ（Ｃａｔｈｏｄｅ  Ｒａｙ  Ｔｕｂｅ）や液晶表示装置に代表される表示装置である。
【００６８】
ネットワークＩ／Ｆ３４５は、ＴＣＰ／ＩＰなどの通信プロトコルによってＬＡＮなどを介して外部機器と送受信を行う。
【００６９】
カードリーダ３４６は、カード３９０などを読み込み可能である。カード３９０にはユーザの情報が記憶されている。ＣＰＵ３２０は、カードリーダ３４６によりカード３９０から読み込まれた情報に基づき、カード３９０を保有するユーザがそのＰＣ２７１の使用を許可されているかどうかを判別する。カードリーダ３４６は、読み込み可能になったカード３９０から、そのＩＤ番号やパスワードなどを取得する。なお、カードリーダ３４６は、認証装置２１５で検出可能なカードと同一のものを読み取り可能であってもよいし、磁気カード、ＩＣカード（接触式であるか非接触式であるかを問わない。またカードに代えて携帯電話やメモリ装置を用いてもよい。）などを読み込み可能とされていてもよい
【００７０】
ＣＰＵ３２０は、ジョブ出力部３２１を備えている。ジョブ出力部３２１は、プリントデータをＭＦＰ１に送信する。
【００７１】
ＨＤＤ３３０内には、ＣＰＵ３２０で実行可能な制御プログラムを記憶する領域３３０ａが設けられている。
【００７２】
ＰＣ２７１の電源がＯＮになると、ＣＰＵ３２０は、ＲＯＭ３４０のブートプログラムに従って、ＨＤＤ３３０からＯＳをＲＡＭ３４１にロードする。また、ＣＰＵ３２０は、各種デバイスドライバをロードする。さらにＣＰＵ３２０は、ＨＤＤ３３０から制御プログラムなどをＲＡＭ３４１にロードして実行する。ＣＰＵ３２０は、例えばＭＦＰ１のプリンタドライバなどをＰＣ２７１において動作させる。
【００７３】
図４は、ＰＣ２７１とＭＦＰ１とから構成されるプリントシステムの機能構成を示すブロック図である。
【００７４】
ここでプリントシステムは、アプリケーションソフト３と、プリンタドライバ５と、プリンタ１とから構成される。アプリケーションソフト３およびプリンタドライバ５は、ＰＣ２７１に含まれる部分であり、プリンタ１はＭＦＰ１に相当する部分である。
【００７５】
アプリケーションソフト３にて、プリント原画像データ４０１が作成される。プリント原画像データ４０１のプリント指示が、プリンタドライバ５によってなされる。指示と共に、プリント原画像データ４０１のデータが展開され、これがプリンタ１にとって最適なＣＭＹＫのデータに変換され、プリンタ１で出力される。
【００７６】
図中の太い矢印は画像データの流れを示し、細い矢印はプリント時の画像データ処理における制御信号の流れを示すものである。
【００７７】
印刷される原画像データ４０１は、プリンタドライバ５で画像化される。プリンタドライバ５には、大きくは、プリント指示部４０３と画像レンダリング・合成部４１３とが含まれている。原画像データ４０１の所望の部分が、プリンタドライバ５のユーザインターフェース画面を介して設定されたプリント指示条件にしたがって、画像レンダリング・合成部４１３において画像データ化される。
【００７８】
プリント指示部４０３は、レイアウト・変倍指示部４０５と、画質調整指定部４０７と、スタンプ合成指定部４０９とを含んでいる。スタンプ合成指定部４０９は、スタンプ画質生成部４１１を含んでいる。なお、「スタンプ」は透かし画像部を構成する画像の用途の一例である。
【００７９】
ページレイアウト条件である、用紙に対するプリントの向き、拡大・縮小、Ｎｉｎ１処理と呼ばれるページ割付処理の条件が、レイアウト・変倍指示部４０５にてユーザにより設定される。
【００８０】
また、各種の画像調整が可能となるように、プリンタエンジンの特性に応じ、それぞれの用途で最適化されたパラメータがプリント時に選択できるようになっている。その選択は、図中の画質調整指定部４０７において、ユーザによって可能になっている。具体的には、ユーザは以下の（１）〜（４）の各設定の中から好ましい条件を選択することができる。
【００８１】
（１）原稿モード      ：文書、写真、ＤＴＰ、ＣＡＤなどのプリント対象の原稿の種別の設定
【００８２】
（２）スクリーン      ：“階調優先”、“解像度優先”、“高解像度”用の各タイプの設定
【００８３】
（３）カラーマッチング：“鮮やか”、“写真”、“色差最小”の各タイプの設定
【００８４】
（４）色バランス      ：シアン、マゼンタ、イエロー、ブラック各色の独立での数段の調整量設定
【００８５】
ユーザによる設定が行われない場合には、自動的に、標準の条件が設定されるようになっている。
【００８６】
ここで、上記の（３）、（４）の項目を色補正条件と呼ぶ。
【００８７】
更に、スタンプ合成指定部４０９では、予め登録されたロゴなどの図形情報や、取り扱い時の注意喚起を行ったり、複写を牽制するための“至急”や“社外秘”といったワードや、通し番号や、ページ情報などの、プリント原画像データ４０１に対してユーザが追加したい画像やテキスト情報が指定される。
【００８８】
またスタンプ合成指定部４０９では、追加合成したい画像情報が、プリント原画像データの画像情報と重なる位置にある場合にどのような処理を行うかが、ユーザによって設定可能となっている。すなわち、原画像データを上から塗りつぶすようにスタンプの画像を描画する（「非透過」処理）か、原画像データも視認できるようにスタンプの画像を描画させる（「透過」処理）かの設定が、選択可能になっている。
【００８９】
画像レンダリング・合成部４１３には、アプリケーションソフト３上の処理によってプリント原画像データ４０１が入力される。また画像レンダリング・合成部４１３には、上述のプリント指示部４０３から、スタンプ画像に関する情報と、印刷におけるレイアウトなどの制御のための信号とが入力さる。画像レンダリング・合成部４１３は、これら入力された情報をもとに、ＰＣＬ（Ｐｒｉｎｔｅｒ  Ｃｏｎｔｒｏｌ  Ｌａｎｇｕａｇｅ）に代表される描画コマンドによって印刷時の描画用のレンダリング処理を実行する。
【００９０】
画像レンダリング・合成部４１３によって処理された印刷用画像データは、１２００ｄｐｉの画素ごとの、ＲＧＢの各８ｂｉｔのカラー情報  および、文字、写真などの属性を示す１〜２ｂｉｔのＴＡＧ情報のビットマップ画像として展開される。なお、アプリケーションソフト３で扱うデータの種類や、プリンタドライバ５での処理によっては、ＲＧＢ画像ではなく、ＣＭＹＫ画像やＬＡＢ画像などが展開される場合もある。
【００９１】
以上が、プリンタドライバ５における処理の内容である。続いて、プリンタ１における処理の流れを説明する。
【００９２】
プリンタ１のＣＭＹＫ変換部４１７には、ラスタ処理されたビットマップのカラー情報が入力される。入力される情報は、通常はプリンタと直接対応しない色データである、ＲＧＢ、ＣＭＹＫ、またはＬＡＢのデータである。このため、ＣＭＹＫ変換部４１７は、これらをプリンタ用のＣＭＹＫへの色変換テーブルによって、ＣＭＹＫ情報に変換する。さらにＣＭＹＫ変換部４１７は、色バランス設定に従ってデータの調整を実行する。
【００９３】
ここでの色変換テーブルは、あらかじめ最適化されたテーブルが自動的に設定されることとしてもよいし、プリンタドライバ５の画質調整指定部４０７で設定されたカラーマッチングタイプに対応するテーブルが適用されることとしてもよい。すなわち後者の場合、色補正条件やスクリーン条件に従って好ましいテーブルを選択するものである。
【００９４】
また本実施の形態のように、画素毎の属性判別信号が展開・入力される場合は、プリンタ１の属性判別部４１５は逐次属性を判別する。この判別に基づいて、ＣＭＹＫ変換部４１７は、対象とする各オブジェクトの種類別に最適化されたカラーマッチングタイプのテーブルを適用する。
【００９５】
ＣＭＹＫ変換部４１７によってＣＭＹＫ信号化された情報は、γ補正部４２１によって補正が施され、後段のスクリーン処理部４２３へ送られる。より詳しくは、γ補正部４２１のγ特性検出部は、ＣＭＹＫ各色の特性に応じてγ補正のテーブルを求める。γ補正部４２１はテーブルに従って、０〜２５５の８ｂｉｔデータに対して濃度特性が略リニアになるように補正を行う。
【００９６】
γ補正部４２１によって補正されたデータは、スクリーン処理部４２３にてスクリーンパターン化され、狙いとする中間調の濃度で再現される。ここでスクリーンパターンは、予め最適化されたパターンが自動的に設定されるようにしてもよいし、プリンタドライバ５の画質調整指定部４０７で設定された内容に対応するパターンが適用されるようにしてもよい。レイアウト・変倍指示部４０５からの変倍率の情報、画質調整指定部４０７からの色補正条件・スクリーン条件の情報、およびスタンプ合成指定部４０９からの透過処理であるか／非透過処理であるかの情報、透かし画像部の画像パターンに基づいて、スクリーン選択部４１９が好ましい中間調スクリーンを選択してもよい。
【００９７】
また色変換テーブルと同様に、本実施の形態のように、画素毎の属性判別信号が展開・入力される場合は、属性判別部４１５が逐次属性を判別しながら、対象とする各オブジェクトの種類別に最適化されたスクリーンパターンが適用されるように装置を構成してもよい。
【００９８】
以上の様にして、プリンタドライバ５から入力されるカラー情報を、プリンタ１は、そのデバイス色であるＣＭＹＫで最適に再現させるための色信号に変換する。変換された信号に基づいて、プリント部２１７（図２）では、帯電された感光体が各色のレーザー駆動によって露光される。その後、現像、転写、定着工程を経て紙上に最適な色でプリント画像が形成される。
【００９９】
スタンプ合成指定部４０９では、原画像情報に対してユーザが追加したい情報が指定される。すなわち、以下の設定情報がユーザから入力されることで、原画像に対して合成する画像が決定される。
【０１００】
・合成するスタンプ画像の一例である文字列、その文字種、およびそのサイズ
【０１０１】
・合成するスタンプ画像のレイアウト（繰り返しの有無、ページ内の配置、角度など）  
【０１０２】
・文字色（これは、所定色から選択もしくは任意に設定される）
【０１０３】
・透過処理をする、またはしないの選択
【０１０４】
スタンプ画像としては、予め登録されたロゴ等の図形情報、取り扱い時の注意喚起のための情報、複写を牽制するための情報、「至急」、「社外秘」といったワード、または通し番号やページ情報などがある。スタンプ画像は、原画像に重ねてプリントされる。ユーザはスタンプ画像の色情報を所定色から選択したり、スタンプ画像を任意の色に設定することができる。
【０１０５】
上述の指定によりユーザは、追加合成したい画像が原画像と重なる位置にある場合に、追加合成したい画像を原画像の上から塗りつぶすように描画させる（＝非透過処理）か、原画像も視認できるように描画させる（＝透過処理）かを設定することができる。
【０１０６】
またプリンタドライバ５は、スタンプ画像表示部５００を備えている。これは、ディスプレイ３４４（図３）にスタンプ画像がプリントされたときにどのような印刷物となるかのサンプルを表示するものである。
【０１０７】
スタンプ画像表示部５００により、実際に印刷が行われる前に、ユーザはその印刷結果を知ることができるため、不要な試し印刷を行う必要がなくなる。
【０１０８】
図５は、プリンタ１で出力される透過合成画像（スタンプ画像）の具体例を示す図である。
【０１０９】
ここでは、文字、図形、写真などから構成されるプリント原画像データの所定の箇所に、透かし画像部（Ａ）および（Ｂ）が合成された状態を示している。
【０１１０】
すなわち透かし画像部（Ａ）においては、「Ｎｏ．０００１」の文字が、三角形の図形の上にプリントされている。透過合成により、透かし画像部（Ａ）の下の三角形の図形も視認される。透かし画像部（Ｂ）においては、「ＸＹＺ」の文字とともに網掛けの画像がプリントされている。
【０１１１】
図６は、図５の透かし画像部（Ａ）の拡大図である。
【０１１２】
ここでは「Ｎｏ．０００１」の文字のうち、「Ｎ」の文字を構成する画像が拡大して示されている。「Ｎ」を構成する画像は、市松模様（または千鳥パターン）により構成されている。すなわち、１つが縦Ｎ個×横Ｎ個のドットから構成される２種類のブロックが市松模様状にパターン化されて配置されることで、「Ｎ」の文字が形成されている。
【０１１３】
２種類のブロックのうち一方である白色の部分（白地部領域）は、プリント原画像データをそのまま残してプリントを行う部分（原画像の色を再現させる部分）である。すなわち白色の部分では、原画像にデータがある箇所では原画像データをそのまま残して後段の処理が行なわれる。
【０１１４】
２種類のブロックのうち他方であるグレー色の部分は、透かし画像部（中間調の画像である場合を含む）のプリント（スタンプ画像の色のプリント）を行うものである。
【０１１５】
このように、透かし画像の部分と原画像の部分とをＸ方向、Ｙ方向で交互にプリントすることで、透かし画像を原画像が透けて見える状態でプリントすることが可能となる。
【０１１６】
ブロックの縦横の画素数Ｎ（ブロックのサイズ）は、以下の（１）及び（２）の要件を満たすように設計されている。
【０１１７】
（１）１ブロックの白地部領域がつぶれない程度のサイズ以上を確保すること。
【０１１８】
（２）ある程度細かい透かし画像でも、その細部の再現に支障がないサイズ以下にすること。
【０１１９】
例えばプリンタ１が１２００ｄｐｉの電子写真プリンタである場合は、エンジンの露光、現像、転写、定着の各特性にもよるが、Ｎ＝２〜１０程度が妥当である。
【０１２０】
図７は、図４のプリント指示部４０３とスタンプ画像表示部５００との詳細な構成を示すブロック図である。
【０１２１】
スタンプ画像表示部５００により、スタンプ画像の表示用の色補正処理が行われる。
【０１２２】
スタンプ画像表示部５００は、表示用色補正データベース５０１と、スタンプ画像表示用色演算部５０３と、透過パターン設定部５０５と、透過合成用パターンデータベース５０７とを備えている。
【０１２３】
表示用色補正データベース５０１は、スタンプ画像の色、原画像の色、透過率などに基づいてディスプレイ３４４上の表示色を決定するためのデータを保持する。
【０１２４】
透過合成用パターンデータベース５０７は、図６に示されるようなパターンであって、ブロックサイズを異ならせることによりスタンプ画像の透過率を変えたものを複数保持する。
【０１２５】
透過パターン設定部５０５は、スタンプ合成指定部４０９からの指定に基づいて、透過合成用パターンデータベース５０７から指定されたパターンを設定する。
【０１２６】
スタンプ画像表示用色演算部５０３は、画質調整指定部４０７の設定、スタンプ画質生成部４１１で生成されたスタンプ画像の色、表示用色補正データベース５０１の情報、および透過パターンの形態（透過率など）に基づいて、ディスプレイ３４４に表示するスタンプ画像の表示色を演算する。
【０１２７】
スタンプ合成指定部４０９で設定される色情報に、必要に応じてその他の設定情報を加味して、スタンプ画像表示用色演算部５０３は、予め記憶されている表示用色補正データ（表示用色補正データベース５０１の内容）を参照しながら、スタンプ画像色を表示させるドライバ画面での色表示用のデータを演算する。
【０１２８】
このような構成により、表示画面により正しく色を表示させることができる。
【０１２９】
図８は、ディスプレイ３４４に表示されるドライバの色表示画面の具体例を示す図である。
【０１３０】
これは透過合成処理を行う時に、設定されているスタンプ画像の色がどのような色に見えるかを表示するための画面である。すなわち、合成する画像を設定された色で合成したときの印刷イメージ（印刷サンプル）の表示を行うものである。
【０１３１】
画面の右側には、ユーザにより選択された色で文字（ここでは“Ａ”の文字）を非透過で白地に合成した場合の印刷サンプルが表示されている。また、ユーザにより選択された色のＲＧＢ値が表示されている（ここではＲＧＢ全てが「１６」の値であるものとする）。
【０１３２】
図中の点線の円で囲まれた部分は、ユーザにより選択された色および透過度で、文字（ここでは“Ａ”の文字）を白地へ透過合成した場合の印刷サンプルが表示されている。
【０１３３】
また、白地への透過合成だけでなく、Ｒ，Ｇ，Ｂ，Ｃ，Ｍ，Ｙ，Ｋ（それぞれ、レッド、グリーン、ブルー、シアン、マゼンタ、イエロー、ブラック）の各色の原画像（背景画像）に対して、ユーザにより選択された色および透過度で、文字（ここでは“Ａ”の文字）を透過合成した場合の印刷サンプルが表示されている。それぞれの状況においてどのような色で画像が合成されるかを表示するためのものである。
【０１３４】
ここでは、Ｒ，Ｇ，Ｂ，Ｃ，Ｍ，Ｙ，Ｋの７色の原画像における透過画像の表示を行うこととしたが、この条件に限定はない。これらの色以外の色である、中間色を含む任意の色など、ユーザが必要となる色をユーザが設定できるように装置を構成してもよい。
【０１３５】
また、この例では簡単に文字“Ａ”を表示している。これはあくまで合成後の文字色を見るためのもので、“Ａ”に限定するものではなく、任意に設定してもよい。ユーザが設定した文字列、またはその一部を表示させてもよい。
【０１３６】
以下に、適切にディスプレイの表示用データを得る方法について説明する。
【０１３７】
スタンプ部の設定色が（Ｒｓ，Ｇｓ，Ｂｓ）であり、原画像の色が（Ｒｏ，Ｇｏ，Ｂｏ）である場合において、透過パターンが透過率５０％相当の千鳥パターンであれば、ディスプレイ３４４（モニタ）上での透過合成色は、
【０１３８】
（Ｒｄ，Ｇｄ，Ｂｄ）＝（（Ｒｓ，Ｇｓ，Ｂｓ）＋（Ｒｏ，Ｇｏ，Ｂｏ））／２
【０１３９】
として表現することができる。これが、最も単純な方法である。
【０１４０】
しかしながら、上式で求めた（Ｒｄ，Ｇｄ，Ｂｄ）値で表示される色と、実際に印刷される色とには大きな隔たりが生じてしまう。
【０１４１】
そこで本実施の形態では、次のような手順でより適切な表示用データを算出している。
【０１４２】
合成する透過スタンプの色として、全てのＲＧＢ値（２５５×２５５×２５５）で表現される空間の中から５×５×５程度の等間隔の点群を選択する（例えば４×４×４の点群を選択する場合には、ＲＧＢそれぞれに０、６３、１２７、２５５の値を設定し、６４の点群を選択する）。この点群で示される値の色それぞれを、印刷されたスタンプ画像を測色する色（「測定スタンプ画像色」という。）とする。標準状態にキャリブレーションされたプリントシステムを用いて、測定スタンプ画像色での印刷結果の測定を行う。
【０１４３】
背景となる色（原画像の色。例えば上記の例では、Ｒ，Ｇ，Ｂ，Ｃ，Ｍ，Ｙ，Ｋ，および白）ごとに、所定のパターン（所定の透過度）を用いて、測定スタンプ画像色それぞれの色で透過画像の合成を行う。透過合成処理後のデータは、基準の用紙に印刷される。
【０１４４】
印刷後の用紙で発生した複数の色を測定することで、それらのＸＹＺ値が得られる。続いて、得られた各ＸＹＺ値を、標準となるＲＧＢ色特性で適切にキャリブレーションされたディスプレイ装置に再現させるための、ＲｄＧｄＢｄ値に変換する。
【０１４５】
この変換は、ｓＲＧＢディスプレイであれば、ＩＥＣ／３ＷＤ  ６１９６６−２．１などにより規定されている変換方法に準じるように行えばよい。
【０１４６】
これによりＸＹＺ値に基づいて、測定スタンプ画像色（パッチ色）、原画像の色、および透過度に対応する、実際の印刷色のデータを得ることができる。すなわち、ＲｓＧｓＢｓからＲｄＧｄＢｄへ変換を行うための３次元のテーブルの格子点データを求めることができる。
【０１４７】
このテーブルを活用することで、任意のＲｓＧｓＢｓ値に対する、ＲｄＧｄＢｄ値を補間演算によって求めることができる。
【０１４８】
なお上述の色の対応関係は、下記の様な設定にも影響される可能性がある。より正確に色の変換を行うために、下記の要素も考慮することがより望ましい。
【０１４９】
（１）システムが設定する、透過処理時に用いるパターンの種類
【０１５０】
（２）ユーザにより設定される画質調整条件
【０１５１】
上記（２）としては、画像モード、色補正パラメータ、コントラストなどである。
【０１５２】
特に（１）に関しては、パターンのブロックサイズが小さくなる程、薄い色はより薄く、濃い色はより濃くなる特性があるため、このような特性を考慮することが望ましい。
【０１５３】
色変換処理は、ソフトウェア処理で行っても良いが、ハード処理部を活用することで高速に演算する構成にすることも有効である。システムのＣＭＹＫ演算テーブルの補間演算回路を活用することも可能である。
【０１５４】
なお上述の色の対応関係は、以下のようなテーブルとして表示用色補正データベース５０１に保存しておいてもよい。
【０１５５】
図９は、スタンプ画像のディスプレイ３４４への表示用の色を求めるためのテーブルの具体例を示す図である。
【０１５６】
図を参照して、原画像の色、スタンプ画像の色、および透過率（透過度）などに対応付けて、ディスプレイ３４４（モニタ）上で印刷サンプルとして表示する色が記録されている。このようなテーブルの値を用いたり、補間演算を行うことで、原画像の色、スタンプ画像の色、および透過率などの各条件下における、ディスプレイ３４４（モニタ）上での透過スタンプの印刷サンプルの表示色が決定される。
【０１５７】
［実施の形態における効果］
【０１５８】
以上説明した実施の形態によると画像処理装置は、合成画像の色を設定する設定色データと、この設定色データの印刷後の色を適切に表示させるための表示用色データとを対応付けて記憶する。合成画像の画面表示機能において表示用色データが適用される。これにより、設定色データから表示用色データへの変換および表示用色データによるディスプレイへの表示が、ドライバでのスタンプ画像機能において実行される。
【０１５９】
表示用色データとしては、スタンプ画像を白以外の色に対して合成した場合の印刷後の色も登録される。
【０１６０】
また、設定色データと表示用色データとの対応を、透過合成時に使用するブロックパターンの種類（特にパターンの透過度）に応じて求めておくことが望ましい。これにより、設定されるパターンの種類に応じて、最適な表示用データを適用させることができる。
【０１６１】
以上の実施の形態によると、透過スタンプ画像を合成した画像を印刷したときの色の画面上での表示色（印刷された際の予測色）が、ユーザにとって実際に印刷されたときの色と違和感がないものとなる。これにより、印刷を実際に行わなくとも、ユーザは自分の所望する色を設定しやすくなり、容易に所望の色の透過合成画像を得ることができる。すなわち従来は、印刷して初めて濃すぎたり、薄すぎたりすることが分かる場合が多かったが、本実施例によると、スタンプ合成時の印刷画像をユーザが印刷前に簡単にイメージできるよう、ドライバの設定画面に、文字種やレイアウト、設定色が簡易的にプレビュー表示される。
【０１６２】
［その他］
【０１６３】
なお、画像形成装置は、複写機、プリンタ、ファクシミリ装置やこれらの複合機（ＭＦＰ）などいずれであってもよい。また、データを加工・編集して印刷するハードコピーシステムにも本発明を適用することができる。
【０１６４】
画像処理装置の機能の一部は、ＰＣや、画像処理装置に付属する装置が実行してもよい。この場合、ＰＣの一部や画像処理装置に付属する装置の一部も画像処理装置の部分を構成することとなる。
【０１６５】
また、上記実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１６６】
１      ＭＦＰ（プリンタ）
３      アプリケーションソフト
５      プリンタドライバ
４０１  プリント原画像データ
４０３  プリント指示部
４０５  レイアウト・変倍指示部
４０７  画質調整指定部
４０９  スタンプ合成指定部
４１３  画像レンダリング・合成部
４１５  属性判別部
４１７  ＣＭＹＫ変換部
４１９  スクリーン選択部
４２１  γ補正部
４２３  スクリーン処理部
５００  スタンプ画像表示部
５０１  表示用色補正データベース
５０３  スタンプ画像表示用色演算部
５０５  透過パターン設定部
５０７  透過合成用パターンデータベース
【図１】
2010251966.tif 000003
【図２】
2010251966.tif 000004
【図３】
2010251966.tif 000005
【図４】
2010251966.tif 000006
【図７】
2010251966.tif 000007
【図９】
2010251966.tif 000008
【図５】
2010251966.tif 000009
【図６】
2010251966.tif 000010
【図８】
2010251966.tif 000011